(57)【特許請求の範囲】
【請求項１】
大画面を構成する複数のディスプレイに各々接続された表示処理部と前記表示処理部を制御する表示制御部を備えた大画面表示装置において、
前記表示制御部は、前記各表示処理部のビデオ処理性能を測るビデオ処理性能測定手段と、
前記ビデオ処理性能測定手段が測定したビデオ処理性能の最も遅い表示処理部に合わせてビデオデータ量を変化させるビデオデータ量変更手段と、
前記ビデオデータ量変更手段の指示に基づいてビデオデータ量の変更されたビデオデータを生成するビデオデータ生成手段と、
前記ビデオデータ生成手段の生成したビデオデータを表示処理部に送信するビデオデータ送信手段を備え、
前記表示処理部は、前記ビデオ送信手段から送られてきたビデオデータから表示画像を生成し前記ディスプレイの表示をその生成した表示画像に書き換えることを特徴とする大画面表示方式。
【請求項２】
大画面を構成する複数のディスプレイに各々接続された表示処理部と前記表示処理部を制御する表示制御部を備えた大画面表示装置において、
前記表示制御部は、ビデオデータの各フレーム毎に表示画像を生成する画像生成処理を開始する処理開始時間を付加するタイムスタンプ付加手段と、
前記タイムスタンプ付加手段により処理開始時間を付加されたビデオデータを前記表示処理部に送信するビデオデータ送信手段を備え、
前記表示処理部は、前記ビデオ送信手段から送られてきたビデオデータに付加された処理開始時間に表示画像を生成する画像生成処理の開始を指示するタイムスタンプ判定手段と、
前記タイムスタンプ判定手段から指示を受け前記ビデオ送信手段から送られてきたビデオデータから表示画像を生成する画像生成処理を開始するとともに前記ディスプレイの表示をその生成した表示画像に書き換える画像生成手段を備えることを特徴とする大画面表示方式。
【請求項３】
前記表示処理部は、前記ビデオ送信手段からビデオデータを受信した時刻がそのビデオデータに付加された処理開始時間を過ぎていたとき、そのビデオデータから表示画像を生成する画像生成処理を行わずに破棄するとともにそのビデオデータのフレームをディスプレイに表示しないことを特徴とする請求項２記載の大画面表示方式。
【発明の詳細な説明】
【０００１】
【発明の属する技術分野】
本発明は、複数ディスプレイにより１つの画面を構成する大画面表示装置に関するものである。
【０００２】
【従来の技術】
現在、広く普及している大画面表示装置は大型投射型ディスプレイをマトリクス状に配置し、一つの画面として表示するいわゆるマルチスクリーン型のものが主流である。図１３は、例えば、特開平３−２０１０８０号公報に示された従来のマルチスクリーン型の大画面表示装置の構成図である。
図において、１２１は初期図形データを格納しておく図形記憶部、１２２は図形記憶部１２１に格納された図形データに対して座標変換処理を含む前処理および画像生成部への分配を行なう図形処理部、１２３１乃至１２３４は図形処理部１２２から転送されてきた図形データから画像データを生成する複数から成る画像生成部である．
また、１２４は図形処理部１２２の図形データを画像生成部１２３１乃至１２３４に転送するための転送路、１２５１乃至１２５４は画像生成部で生成された画像データを記憶する複数の画像記憶部、１２６１乃至１２６４は画像記憶部１２５１乃至１２５４の画像データから表示に必要なビデオ信号を発生させる複数のビデオ信号発生部、１２７１乃至１２７４はビデオ信号発生部１２６１乃至１２６４で得たビデオ信号を入力とするマトリクス状に配置した複数の表示部である。
【０００３】
次に動作について説明する。
表示すべき図形データは図形記憶部１２１に格納されており、図形処理部１２２が図形データを読み出し、座標変換などの処理を行なった後、大画面を構成する各表示部に接続された画像生成部１２３１乃至１２３４に対して図形データをそれぞれ転送する。
画像生成部１２３１乃至１２３４では図形データから画像データを生成し、画像記憶部１２５１乃至１２５４に書き込む。そして、ビデオ信号発生部１２６１乃至１２６４が画像記憶部１２５１乃至１２５４から画像データを読み出してビデオ信号に変換し、最後に表示部１２６１乃至１２６４で表示を行なう。
【０００４】
【発明が解決しようとする課題】
従来のマルチスクリーン型の大画面表示装置は以上のようにして各画像生成部に対し図形データを転送していたので、表示すべき図形が複数の画面にまたがった場合には、またがる全ての画面の画像生成部に対して同じ図形データを複数回転送しなければならず、従って、画面数が増加すると図形データの転送量も増加し、画像生成部への図形データの転送時間が長くなり、表示性能が劣化するという問題点があった。
また、座標変換処理を図形処理部１ヶ所で集中して行なっていたので画面数が増えるにつれて図形処理部の処理量が飛躍的に増加するため表示性能が劣化するという問題点があった。
また、各画像生成部に対する図形データの転送順序に依存して各表示部毎に画面書き換え時間に差が生じるために、転送順序を固定化すると画面間での書き換え処理のずれが目立ってしまうという問題点があった。
また、ビデオを表示する場合に連続的に画面の画像書き換えを行なっていたのでビデオ画像が画面間にまたがった場合に、ビデオデータの転送時間及び表示処理時間の画面間でのずれにより、画面間の同期がずれてビデオ画像が崩れてしまうという問題点があった。
さらに、ビデオ信号発生部と表示部が固定的に接続されているために画像生成部が故障した場合、対応する表示部の画像が表示されなくなり、画面の一部が欠けてしまうという問題点があった。
【０００５】
本発明は上記のような問題点を解消するためになされたもので、画面数の増加による表示性能の劣化を防ぎ、マルチスクリーン特有の画面間の書き換えのずれを目立たなくするとともに、画像生成部の故障により画面の一部が欠けることのない大画面表示方式の提供を目的とする。
【００１２】
【課題を解決するための手段】
第７の発明に係わる大画面表示方式は、大画面を構成する複数のディスプレイに各々接続された表示処理部と表示処理部を制御する表示制御部を備えた大画面表示装置において、表示制御部は、前記各表示処理部のビデオ処理性能を測るビデオ処理性能測定手段と、ビデオ処理性能測定手段が測定したビデオ処理性能の最も遅い表示処理部に合わせてビデオデータ量を変化させるビデオデータ量変更手段と、ビデオデータ量変更手段の指示に基づいてビデオデータ量の変更されたビデオデータを生成するビデオデータ生成手段と、ビデオデータ生成手段の生成したビデオデータを表示処理部に送信するビデオデータ送信手段を備え、表示処理部は、前記ビデオ送信手段から送られてきたビデオデータから表示画像を生成しその生成した表示画像にディスプレイの表示を書き換えるようにしたものである。
【００１３】
第８の発明に係わる大画面表示方式は、大画面を構成する複数のディスプレイに各々接続された表示処理部と表示処理部を制御する表示制御部を備えた大画面表示装置において、表示制御部はビデオデータの各フレーム毎に表示画像を生成する画像生成処理を開始する処理開始時間を付加するタイムスタンプ付加手段と、タイムスタンプ付加手段により処理開始時間を付加されたビデオデータを前記表示処理部に送信するビデオデータ送信手段を備え、表示処理部は、前記ビデオ送信手段から送られてきたビデオデータに付加された処理開始時間に表示画像を生成する画像生成処理の開始を指示するタイムスタンプ判定手段と、タイムスタンプ判定手段から指示を受け前記ビデオ送信手段から送られてきたビデオデータから表示画像を生成する画像生成処理を開始するとともにその生成した表示画像にディスプレイの表示を書き換える画像生成手段を備えるようにしたものである。
【００１５】
【発明の実施の形態】
実施の形態１．
本発明の第１の実施の形態について図１、図２に基づいて説明する。
本実施の形態では、表示制御部が表示対象となる全画面データをマルチキャストにより送信し、各表示処理部が当処理部制御下のディスプレイ画面で表示される図形描画データのみを選択し、選択された描画データに対して大画面上における自分の画面位置に合わせて座標変換を行ない、表示画像を生成してディスプレイ表示を行う大画面表示方式について説明する。
図１は第１の実施の形態に係わる大画面表示装置の構成図である。
図において、１１は大画面に表示すべき図形の描画データ、１２はマルチキャストにより描画データを送信する描画データ送信手段、１３は描画データ送信手段を備えた表示制御部である。
また、１４１乃至１４４は自画面内に入る図形の描画データのみを選択して座標変換手段に送る描画データ選別手段、１５１乃至１５４は描画データ１１を大画面全体の座標系から自画面の座標系へ変換する座標変換手段である。１６１乃至１６４は選別された描画データ１１から画像を生成する画像生成手段、１７１乃至１７４は描画データ選別手段、座標変換手段、画像生成手段を備えた表示処理部、１８１乃至１８４はそれぞれ画像生成手段１６１乃至１６４で生成した画像を表示するディスプレイである。
また、図２は第１の実施の形態における大画面表示装置において、直線を表示する場合の処理の流れを示したフローチャートである。
【００１６】
この実施の形態の大画面表示装置では、２×２個のディスプレイで画面を構成し、各ディスプレイの画面サイズが１２８０×１０２４ピクセルであるので、画面全体のサイズは２５６０×２０４８ピクセルとなる。
また、各ディスプレイの座標系は左上端を（０，０）、右下端を（１２７９，１０２３）とした座標系とし、大画面の座標系を左上端を（０，０）、右下端を（２５５９，２０４７）とした座標系とする。
従って、ディスプレイ１８１は大画面全体の（０，１０２４）から（１２７９，２０４７）の範囲を、ディスプレイ１８２は大画面全体の（０，０）から（１２７９，１０２３）の範囲を、ディスプレイ１８３は大画面全体の（１２８０，０）から（２５５９，１０２３）の範囲を、またディスプレイ１８４は大画面全体の（１２８０，１０２４）から（２５５９，２０４７）の範囲をそれぞれ表示する。
【００１７】
次に本実施の形態の動作について、大画面上に座標（６４０，５１２）から座標（１９２０，１１５２）まで直線を引く例をとって説明する。
図２において、まず、表示制御部１３の描画データ送信手段１２は、直線の描画データ１１をマルチキャストによりすべての表示処理部１７１乃至１７４に対して送信する。
【００１８】
表示処理部ではまず、描画データ選別手段１４１乃至１４４が各表示処理部に接続されている自ディスプレイの画面内で描画するデータかどうかを判断し、自画面内に入るか、または一部入る場合には当描画データを取り込み、次の座標変換手段に渡す。
一方、自ディスプレイの画面内で全く描画されない場合には、その描画データは座標変換手段には渡されずに描画データ選別手段で破棄される。この例では、直線が自ディスプレイ１８１内の画面を通らないので、マルチキャストにより送信されてきた描画データは座標変換手段１５１には渡されずに、描画データ選別手段１４１において全て破棄される。
描画データ選別手段１４２では、直線がディスプレイ１８２の画面内に入るので、描画データは座標変換手段１５２に渡される。
また、描画データ選別手段１４３および１４４においても、直線がそれぞれのディスプレイ１８３、１８４の画面内に入るので、描画データは各々座標変換手段１５３および１５４に渡されることになる。
【００１９】
次に座標変換手段１５１乃至１５４は、送られてきた描画データを自ディスプレイの座標系に変換するために座標変換処理を行なう。
ここで、座標変換について説明する。大画面上での座標（ｇｘ，ｇｙ）を大画面を構成する個々の画面上でのローカル座標（ｌｘ，ｌｙ）に変換する場合に、大画面座標系における個々の画面の左上端の座標を（ｏｆｆｓｅｔｘ，ｏｆｆｓｅｔｙ）とすると、
ｌｘ＝ｇｘ−ｏｆｆｓｅｔｘ
ｌｙ＝ｇｙ−ｏｆｆｓｅｔｙ
と表わすことができる。
図２のディスプレイ表示例について説明すると、座標変換手段１５２では接続されているディスプレイ１８２の画面の左上端の座標が（０，０）であるので、直線の端点の座標値は（６４０，５１２），（１９２０，１１５２）と、結果として同じとなる．従って、描画データは（６４０，５１２）から（１９２０，１１５２）までの直線となる。
また、座標変換手段１５３では、接続されているディスプレイ１８３の画面の左上端の座標が（１２８０，０）であるので、座標変換処理を施すことによって直線の端点の座標値（６４０，５１２），（１９２０，１１５２）がそれぞれ（−６４０，５１２），（６４０，１１５２）に変換される。
従って、描画データは（６４０，５１２）から（１９２０，１１５２）までの直線から、（−６４０，５１２）から（６４０，１１５２）までの直線となる。
また、座標変換手段１５４は接続されているディスプレイ１８４の画面の左上端の座標が（１２８０，１０２４）であるので、座標変換処理を施すことによって直線の端点の座標値（６４０，５１２），（１９２０，１１５２）がそれぞれ（−６４０，−５１２），（６４０，１２８）に変換される。
従って、描画データは（６４０，５１２）から（１９２０，１１５２）までの直線から、（−６４０，−５１２）から（６４０，１２８）までの直線となる。
このようにして、座標変換処理が施された各描画データはそれぞれ画像生成手段１６２乃至１６４に渡され、各画像生成手段が各画面毎に分割された直線の画像を生成し、各ディスプレイ１８２乃至１８４に渡されて描画することにより、（６４０，５１２）から（１９２０，１１５４）までの直線が表示される。
【００２０】
実施の形態２．
本発明の第２の実施の形態について、図３、図４に基づいて説明する。
本実施の形態では、表示制御部が各ディスプレイ画面に入る図形の描画データを選別し、対応する表示処理部に対して選別された描画データのみを送信し、表示処理部は描画データに対して自分の画面位置に合わせて座標変換を実施し、ディスプレイで表示を行う大画面表示方式について説明する。
図３は本発明の第２の実施の形態に係わる大画面表示装置の構成図である。
図において、２１は大画面に表示すべき描画データ、２２は自画面内に入る図形描画データのみを選択して描画データ送信手段に送る描画データ選別手段、２３は描画データを各表示処理部に送信する描画データ送信手段、２４は描画データ選別手段２２及び描画データ送信手段２３を備えた表示制御部である。
２５１乃至２５４は描画データ２１を大画面全体の座標から自画面のローカルな座標へ変換する座標変換手段、２６１乃至２６４は座標変換された描画データ２１から画像データを生成する画像生成手段、２７１乃至２７４は座標変換手段２５１乃至２５４及び画像生成手段２６１乃至２６４を備えた表示処理部、２８１乃至２８４は画像生成手段２６１乃至２６４が生成した画像を表示するディスプレイである。
また、図４は第２の実施の形態における大画面表示装置において、直線を表示する場合の処理の流れを示したフローチャートである。
【００２１】
この実施の形態の大画面表示装置では、２×２個のディスプレイで画面を構成し、各ディスプレイの画面サイズが１２８０×１０２４ピクセルであるので、画面全体のサイズは２５６０×２０４８ピクセルとなる。
また、各ディスプレイの座標系は左上端を（０，０）、右下端を（１２７９，１０２３）とした座標系とし、大画面の座標系を左上端を（０，０）、右下端を（２５５９，２０４７）とした座標系とする。
従って、ディスプレイ２８１は大画面全体の（０，１０２４）から（１２７９，２０４７）の範囲を、ディスプレイ２８２は大画面全体の（０，０）から（１２７９，１０２３）の範囲を、ディスプレイ２８３は大画面全体の（１２８０，０）から（２５５９，１０２３）の範囲を、またディスプレイ２８４は大画面全体の（１２８０，１０２４）から（２５５９，２０４７）の範囲をそれぞれ表示する。
【００２２】
次に本実施の形態の動作について、大画面上に座標（６４０，５１２）から座標（１９２０，１１５２）まで直線を引く例をとって説明する。
図４において、描画データ選別手段２２は各ディスプレイ毎に画面内に入る図形の描画データを選択し、対応するディスプレイの接続される表示処理部に対して描画データを送信するように描画データ送信手段２３に指示する。
まず、ディスプレイ２８１に対しては、直線が画面内を通らないので表示処理部２７１に対し描画データを送信しないように描画データ送信手段２３に指示する。
ディスプレイ２８２に対しては、直線が画面内を通るので表示処理部２７２に対して描画データを送信するように描画データ送信手段２３に指示する。
ディスプレイ２８３の場合も、直線が画面内を通るので表示処理部２７３に対して描画データを送信するように描画データ送信手段２３に指示する。
ディスプレイ２８４の場合も、直線が画面内を通るので表示処理部２７４に対して描画データを送信するように描画データ送信手段２３に指示する。
描画データ送信手段２３は、上記の指示に基づいて描画データを対応するディスプレイの表示処理部２７２乃至２７４に対して各々送信する。各表示処理部では、最初に各座標変換手段２５２乃至２５４で、送られてきた描画データに対する座標変換を行なう。座標変換の方法は実施の形態１で説明した通りである。
座標変換手段２５１では、接続されているディスプレイ２８１の画面に直線が描画されないので座標変換処理は行われない。
座標変換手段２５２では接続されているディスプレイ２８２の画面の左上端の座標が（０，０）であるので、直線の端点の座標値（６４０，５１２），（１９２０，１１５２）は、そのまま同じ値となり、従って、描画データは（６４０，５１２）から（１９２０，１１５２）までの直線となる。
座標変換手段２５３では、接続されているディスプレイ２８３の画面の左上端の座標が（１２８０，０）であるので、直線の端点の座標値（６４０，５１２），（１９２０，１１５２）がそれぞれ（−６４０，５１２），（６４０，１１５２）に変換され、描画データは（−６４０，５１２）から（６４０，１１５２）までの直線となる。
座標変換手段２５４では、接続されているディスプレイ２８４の画面の左上端の座標が（１２８０，１０２４）であるので、直線の端点の座標値（６４０，５１２），（１９２０，１１５２）がそれぞれ（−６４０，−５１２），（６４０，１２８）に変換され、描画データは（−６４０，−５１２）から（６４０，１２８）までの直線となる。
座標変換後、各描画データはそれぞれ画像生成手段２６２乃至２６４に渡され、各画像生成手段２６２乃至２６４が各画面毎に分割された直線の画像を生成し、生成された画像は各ディスプレイ２８１乃至２８４上で（６４０，５１２）から（１９２０，１１５４）までの直線として表示される。
【００２３】
実施の形態３．
本発明の第３の実施の形態に係わる描画データ送信手段について、図５に基づいて説明する。
図５は、６×６個の画面で構成される大画面表示装置に対し、本実施形態による描画データの転送順序を示したものであり、番号は大画面上の各ディスプレイに対する転送順序を表す。
この実施の形態による描画データ転送手段は、画面の中心のディスプレイの表示処理部から外のディスプレイの表示処理部に向かって順に描画データを転送するようにしたものである。
ここで、大画面表示装置に人物や風景などのイメージデータを表示する場合について考える。本実施の形態で示す転送順序によりイメージデータを表示した場合、イメージは画面の中心から周囲に広がっていくように描画される。
一方、人間は人物や風景などのイメージを見る場合にまず中心を見て、次第に周辺部を見る習性があるので、この描画順序はこの人間の視線の動きと一緒であり臨場感あふれるディスプレイ表示を実現できる。
【００２４】
実施の形態４．
本発明の第４の実施の形態に係わる描画データ送信手段について、図６に基づいて説明する。
図６は、６×６個の画面で構成される大画面表示装置に対して本実施形態による描画データの転送順序を示したものであり、番号は大画面上の各ディスプレイに対する転送順序を表す。
ここで、大画面表示装置に英文テキストを表示する場合について考える。この転送順序により英文テキストの描画データを送信した場合、上の行から下の行に向かって描画され、かつ、各行は左から右へ描画される。これは人間が英文を読むときの視線の動きと一緒である。これは横書きの日本文についても同様である。
【００２５】
実施の形態５．
本発明の第５の実施の形態に係わる描画データ送信手段について、図７に基づいて説明する。
図７は６×６個の画面で構成される大画面表示装置に対して本実施形態による描画データの転送順序を示したものであり、番号は大画面上の各ディスプレイに対する転送順序を表す。
この大画面表示装置に縦書き日本文テキストを表示する場合について考える。
この転送順序により縦書き日本文テキストの描画データを送信した場合、右の列から左の列に向かって描画され、かつ、各列は上から下へ描画され、これは人間が縦書き日本文テキストを読むときの視線の動きと一緒である。
【００２６】
実施の形態６．
本発明の第６の実施の形態に係わる描画データ送信手段について、図８に基づいて説明する。
図８は６×６の画面で構成される大画面表示装置に対して本発明を適用した場合の大画面上のディスプレイに対する描画データの転送順序を示したものであり、番号は大画面上の各ディスプレイに対する転送順序を表す。
本実施の形態による転送順序によれば、対角線方向に並んだ画面同志の書き換えを目立たなくすることができる。
【００２７】
実施の形態７．
本発明の第７の実施の形態について、図９に基づいて説明する。
図９は、本実施の形態に係わる大画面表示装置の構成図である。図において、８１は入力されたビデオ信号からビデオデータを生成するビデオデータ生成手段、８２はビデオデータ生成手段に指示してビデオデータの圧縮率、ビデオデータのフレーム間隔、ビデオデータの解像度を変更し、単位時間当たりのビデオデータの送信量を変更制御するビデオデータ量変更手段、８３は各表示処理部の単位時間当たりのビデオデータ処理量を測定するビデオ処理性能測定手段、８４はビデオデータ生成手段８１で生成されたビデオデータを送信するビデオデータ送信手段である。
また、８５は上記ビデオデータ生成手段８１、ビデオデータ量変更手段８２、ビデオ処理性能測定手段８３、ビデオデータ送信手段８４を備えた表示制御部である。８６１乃至８６４はビデオデータを受信して表示画像を生成するとともに、その生成した表示画像に各ディスプレイの表示を書き換える表示処理部、８７１乃至８７４は表示処理部の生成した表示画像を表示するディスプレイである。
【００２８】
次に、解像度６４０×４８０、２４ビット／ピクセル、３０フレーム／秒のビデオ表示を例にとって動作について説明する。
表示を行なう前に、まず表示制御部８５はビデオ処理性能測定手段８３を用いて、各表示処理部の単位時間当たりのビデオデータ処理量を測定する。本実施の形態では４つの表示処理部から構成されているので、これら各々の表示処理部のビデオデータ処理量を測定し、測定結果が以下の通りであったとする。
0003823884.tif 000002
すると、表示処理部８６２の処理性能が最も遅いので、これに合わせてビデオデータ量を変更する。
解像度６４０×４８０、２４ビット／ピクセルのビデオの１フレーム当たりのデータ量は
６４０×４８０×２４＝７，３７２，８００（ｂｉｔ）＝９２１，６００（ｂｙｔｅ）
として求められ、また、１秒当たりのビデオデータ量は
９２１，６００×３０＝２７，６４８，０００（ｂｙｔｅ／ｓｅｃ）
となる。
したがって、圧縮率、フレームレート、解像度のいづれかを変更してビデオデータ量を減らす必要がある。
ここでは、ビデオデータ処理性能を各表示処理部の処理速度としているが、ビデオが各画面にまたがる場合の処理面積の違いからくる処理性能差も同様に扱うことができる。
【００２９】
まず、圧縮率を変更する場合について説明する。
ビデオデータ処理性能が１５，０００，０００（ｂｙｔｅ／ｓｅｃ）で、ビデオデータ量は２７，６４８，０００（ｂｙｔｅ／ｓｅｃ）であるので、圧縮率を１／２とすれば、ビデオデータ量は１３，８２４，０００（ｂｙｔｅ／ｓｅｃ）＜１５，０００，０００（ｂｙｔｅ／ｓｅｃ）になるので処理可能となる。
そこでビデオデータ量変更手段８２が圧縮率を１／２にするようにビデオデータ生成手段８１に指示し、ビデオデータ生成手段８１は圧縮率１／２のビデオデータを生成して各表示処理部８６１乃至８６４に送信し、各表示処理部が表示処理を行なうことにより、解像度６４０×４８０、２４ビット／ピクセル、３０フレーム／秒でビデオの表示を行なうことができる。
【００３０】
次に、解像度を変更する場合について説明する。
圧縮率の場合と同様にデータ量を半分にするので、縦横それぞれの解像度を１／√２倍した解像度にする。
６４０×１／√２＝４５２．５４８３４≒４５２
４８０×１／√２＝３３９．４１１２５≒３３９
そこでビデオデータ量変更手段８２が解像度を４５２×３３９にするようにビデオデータ生成手段８１に指示し、ビデオデータ生成手段８１は解像度を４５２×３３９のビデオデータを各表示処理部８６１乃至８６４に送信し、各表示処理部が表示を行なうことにより、３０フレーム／秒でビデオ表示を行なうことができる。
【００３１】
最後に、フレームレートを変更する場合について説明する。
圧縮率、解像度の場合と同様にデータ量を半分にすればよいので、ここではフレームレートを半分にする。
そこで、ビデオデータ量変更手段８２はフレームレートを１５フレーム／秒にするようにビデオデータ生成手段８１に指示し、ビデオデータ生成手段８１は１５フレーム／秒間隔でビデオデータを各表示処理部８６１乃至８６４に送信し、各表示処理部が表示処理を行なうことにより、１５フレーム／秒でビデオ表示を行なうことができる。
【００３２】
実施の形態８．
本発明の第８の実施の形態について、図１０に基づいて説明する。
図１０は、本実施の形態における大画面表示装置の構成図である。
図において、９０は大画面に表示するビデオデータ、９１はビデオデータ１フレームに対して表示画像を生成する画像生成処理を開始させる処理開始時間を付加するタイムスタンプ付加手段、９２は処理開始時間を付加されたビデオデータを送信するビデオデータ送信手段、９３はタイムスタンプ付加手段９１、ビデオデータ送信手段９２を備えた表示制御部である。
また、９４１乃至９４４は表示画像を生成する画像生成処理の開始をビデオデータに付加された処理開始時間に指示するタイムスタンプ判定手段、９５１乃至９５４はビデオデータに付加された処理開始時間に基づいたタイムスタンプ判定手段の指示に従ってビデオデータから表示画像を生成する画像生成処理を開始して、その生成された表示画像に各ディスプレイの表示を書き換える画像生成手段、９６１乃至９６４はタイムスタンプ判定手段９４１乃至９４４と、画像生成手段９５１乃至９５４を備えた表示処理部である。９７１乃至９７４は各表示処理部の画像生成手段が生成した表示画像を表示するディスプレイである。
表示処理部９６１乃至９６４が行う表示処理は、画像生成手段９５１乃至９５４が行う、例えば転送されたビデオデータに適用された圧縮の解除、解像度の変更などを処理した表示画像を生成する画像生成処理と、その生成された表示画像を各ディスプレイ画面に表示する書き換え処理である。画面間で書き換え処理の同期を図るため、各画像生成手段で表示画像を生成する画像生成処理が同時に終了するように、処理するビデオデータの転送時間および表示画像を生成する画像生成処理時間を考慮してタイムスタンプ付加手段９１は処理開始時間を付加する。
なお、転送時間はビデオデータ量とデータ転送速度、また表示画像を生成する画像生成処理時間はビデオデータ量と各画像生成手段の単位時間当たりのビデオデータ処理量に基づいて算出でき、書き換え処理を同期させる時刻から表示画像を生成する画像生成処理時間だけ前の時刻を処理開始時間とすればよい。
【００３３】
次に、本実施の形態の動作について説明する。
表示制御部９３では、ビデオデータの１フレーム毎に表示処理部９６１乃至９６４でのビデオデータ処理量とビデオデータ量に基づいて得られる、各表示処理部が表示画像を生成する画像生成処理を開始する処理開始時間をタイムスタンプ付加手段にて付加する。各フレームの表示画像の書き換え処理が行われる時間間隔は、表示処理部の画像生成手段が１フレームの表示画像を生成する画像生成処理に要する時間以上となるように設定する。
表示処理部９６１乃至９６４ではビデオデータを受信後、この処理開始時間に達したならば、各々の処理を開始する。もし、ビデオデータの受信後、ビデオデータに付加された処理開始時間をチェックし、既にその時刻を過ぎていた場合には、そのフレームのビデオデータは破棄し、表示処理は行なわない。
【００３４】
実施の形態９．
本発明の第９の実施の形態について、図１１、図１２に基づいて説明する。
図１１は本実施の形態に係わる大画面表示装置の構成図である。
図において、１０２は表示切替部に指示して表示処理部とディスプレイとの接続を切替える表示切替制御手段、１０３は座標変換手段の座標変換パラメータを変更する座標変換パラメータ制御手段、１０１０は表示切替制御手段１０２の指示に従って表示処理部とディスプレイとの接続関係の切替えを行なう表示切替部である。
その他の構成要素は、図１に記載した構成要素と同一である。
また、図１２は本実施の形態の動作を説明するための図である。
【００３５】
ここで、座標変換パラメータについて説明する。座標変換手段は描画データに対して大画面の座標から大画面を構成するディスプレイ上でのローカルな座標に座標変換を行なう。座標変換は大画面上での座標（ｇｘ，ｇｙ）を大画面を構成するあるディスプレイ上でのローカルな座標（ｌｘ，ｌｙ）に変換する場合、大画面の座標系でのその画面の左上端の座標を（ｏｆｆｓｅｔｘ，ｏｆｆｓｅｔｙ）とすると、
ｌｘ＝ｇｘ−ｏｆｆｓｅｔｘ
ｌｙ＝ｇｙ−ｏｆｆｓｅｔｙ
となる。
この（ｏｆｆｓｅｔｘ，ｏｆｆｓｅｔｙ）を座標変換パラメータと呼ぶことにする。
【００３６】
次に、動作について説明する。
最初、表示処理部１０９１乃至１０９４が、表示切替部１０１０を通してそれぞれディスプレイ１０１１１乃至１０１１４に接続されて動作中であり、表示処理部１０９５は予備用の表示処理部として待機していたと仮定する。
即ち、表示処理部１０９１乃至１０９４は表示制御部１０５からマルチキャストにより送信される描画データ１０１を受信し、それぞれディスプレイ１０１１１乃至１０１１４に相当する大画面上の画面位置の画像を生成して表示を行っている。
各表示処理部の座標変換手段１０７１乃至１０７４の座標変換パラメータは、それぞれ、（０，１０２４），（０，０），（１２８０，０），（１２８０，１０２４）と設定されている。
予備機としての表示処理部１０９５の座標変換手段１０７５には、最初、座標変換パラメータとして（０，０）が設定されているが、いずれのディスプレイとも接続されていないため表示処理には関与していない。
ここで、表示処理部１０９４が故障したとする。この時、座標変換パラメータ制御手段１０３は予備の表示処理部１０９５の座標変換手段１０７５の座標変換パラメータを（０，０）から故障した表示処理部１０９４の座標変換手段１０７４に設定されていた（１２８０，１０２４）に変更する。
次に、表示切替制御手段１０２は表示切替部１０１０に対して表示処理部１０９４とディスプレイ１０１１４との接続を切り替えて、表示処理部１０９５とディスプレイ１０１１４とを接続するように指示する。
これにより、表示処理部１０９５は表示処理部１０９４の代替機として動作するようになり、再び、ディスプレイ１０１１４に画像が転送されて、大画面全体の表示が可能となる。
【００３７】
【発明の効果】
この発明は、以上説明したようにして構成されているので、以下に記載されるような効果を奏する。
【００４４】
また、この発明によれば、大画面表示装置を構成する各画面に対する表示処理部の表示性能を測定し、最も処理性能の遅い表示処理部に合わせてデータ送信量を変化させ、ある一定時間内に全ての画面において１フレームの描画が終了するようにしたので、画面間での同期をとることができるという効果がある。
【００４５】
さらに、この発明によれば、表示制御部が各画面に対する表示処理部に対し、表示画像を生成する画像生成処理の開始を示す処理開始時間を付加し、各表示処理部はこの処理開始時間に合わせて表示画像を生成する画像生成処理を開始するようにしたので、全ての画面で同時に同じフレームの画像が表示され、画面間での同期をとることができる。
【図面の簡単な説明】
【図１】  本発明の第１の実施の形態を示す大画面表示装置の構成図。
【図２】  本発明の第１の実施の形態を示す大画面表示装置において直線を表示する場合の処理の流れを示したフロー図。
【図３】  本発明の第２の実施の形態を示す大画面表示装置の構成図。
【図４】  本発明の第２の実施の形態を示す大画面表示装置において直線を表示する場合の処理の流れを示したフロー図。
【図５】  本発明の第３の実施の形態を示す大画面表示装置における描画データ送信順序を示す図。
【図６】  本発明の第４の実施の形態を示す大画面表示装置における描画データ送信順序を示す図。
【図７】  本発明の第５の実施の形態を示す大画面表示装置における描画データ送信順序を示す図。
【図８】  本発明の第６の実施の形態を示す大画面表示装置における描画データ送信順序を示す図。
【図９】  本発明の第７の実施の形態を示す大画面表示装置の構成図。
【図１０】  本発明の第８の実施の形態を示す大画面表示装置の構成図。
【図１１】  本発明の第９の実施の形態を示す大画面表示装置の構成図。
【図１２】  本発明の第９の実施の形態の動作を説明するための図。
【図１３】  従来の大画面表示装置の構成を示す図。
【符号の説明】
１１、２１、１０１  描画データ
１２、２３、１０４  描画データ送信手段
１３、２４、８５、９３、１０５  表示制御部、
８１  ビデオデータ生成手段、８２  ビデオデータ量変更手段、８３  ビデオ処理性能測定手段
９０  ビデオデータ、９１  タイムスタンプ付加手段
８４、９２  ビデオデータ送信手段
１０２  表示切替制御手段
１０３  座標変換パラメータ制御手段
２２、１４１乃至１４４、１０６１乃至１０６５  描画データ選別手段
１５１乃至１５４、２５１乃至２５４、１０７１乃至１０７５  座標変換手段
１６１乃至１６４、２６１乃至２６４、９５１乃至９５４、１０８１乃至１０８５  画像生成手段
１７１乃至１７４、２７１乃至２７４、８６１乃至８６４、９６１乃至，９６４、１０９１乃至１０９５  表示処理部
１８１乃至１８４、２８１乃至２８４、８７１乃至８７４、９７１乃至９７４、１０１１１乃至１０１１４  ディスプレイ
９４１乃至９４４  タイムスタンプ判定手段
１０１０  表示切替部
【図１】
0003823884.tif 000003
【図２】
0003823884.tif 000004
【図３】
0003823884.tif 000005
【図４】
0003823884.tif 000006
【図５】
0003823884.tif 000007
【図６】
0003823884.tif 000008
【図７】
0003823884.tif 000009
【図８】
0003823884.tif 000010
【図９】
0003823884.tif 000011
【図１０】
0003823884.tif 000012
【図１１】
0003823884.tif 000013
【図１２】
0003823884.tif 000014
【図１３】
0003823884.tif 000015